(57)【特許請求の範囲】
【請求項１】
第一の部材と第二の部材とを回動可能に連結する軸手段と、この第一の部材と第二の部材とを、互いに離れる向きに付勢する付勢手段とを備えた軸ユニットであって、
この軸ユニットの軸手段が、第一の部材に固定され、かつ、第二の部材に回転又は回動可能に組み付けられる筒状軸具と、この筒状軸具内に挿し込まれると共に第二の部材に固定される桿状軸具と、この筒状軸具と桿状軸具との何れか一方又は双方の回転又は回動を抑制する抵抗付与手段とからなり、
この軸ユニットの付勢手段が、前記筒状軸具を取り巻くように巻装されて第一の部材と第二の部材とを互いに引き離す向きに付勢する捩りコイルバネとしてあり、
かつ、前記筒状軸具が、この筒状軸具の長さ方向に亘る一側部に平坦面を備えていることを特徴とする軸ユニット。
【請求項２】
請求項１記載の軸ユニットと、
この軸ユニットを構成する筒状軸具に巻装された捩じりコイルバネを間に置くように、該筒状軸具の両端側をそれぞれ挿通、固定する一対の取付穴を備えた第一の部材の取付部と、
この第一の部材の取付部の一方の前記取付穴より突き出される筒状軸具の端部を回転又は回動可能に嵌め込む軸受凹部と、該第一の部材の取付部の他方の前記取付穴より突き出される桿状軸具の端部の溝状止付部とを備える第二の部材の取付部とよりなり、
前記第一の部材の取付部に備えられた一対の取付穴の穴壁の一部を、前記筒状軸具に備えられている平坦面に接し合う平坦面としてあると共に、
前記第二の部材の取付部の前記軸受凹部の上端部に、該軸受凹部より幅狭とされる前記筒状軸具の端部の嵌め込み溝部が、該軸受凹部に連通するように設けられていることを特徴とする軸構造。
【発明の詳細な説明】
【０００１】
【産業上の利用分野】
この発明は、収納体の本体に対して常時起立方向に回動、付勢されるように軸着される蓋など、こうした回動、付勢状態に軸着される第一の部材と第二の部材との該軸着に用いられる軸ユニットおよび軸構造の改良に関する。
【０００２】
【従来の技術】
一方の部材を他方の部材に対して回動、あるいは回転可能に軸着して構成される各種物品においては、該一方の部材が他方の部材に対して倒伏した位置より、起立した位置まで自動的に回動するような機能を持たせることが該物品の使い勝手を高める観点から有用な場合が少なくないことから、該一方の部材を他方の部材に対して常時起立方向に回動させるように作用する付勢手段が設けられることが多い。
【０００３】
また、前記起立方向に向けた回動に抵抗を付与して、この回動をゆっくりとなさしめることが必要とされる場合も少なくないことから、こうした回動に抵抗を付与する手段、いわゆるダンパ機構が併せて設けられることが多い。
【０００４】
例えば、実公平５−１６９６２に係る「コンパクト容器」では、容器本体に開閉自在に装着される蓋体の基端部に回動軸を一体的に形成すると共に、この回動軸の一方側に盲孔を、他方側に環状深溝を設けておき、この環状深溝内に容器本体に設けた一方の支軸部材に突設した二重の筒状体からなる制動調整部材を嵌め込むと共に、盲孔内に他方の支持部材を嵌め入れて、容器本体に対して蓋体を軸着している。
【０００５】
そして、この制動調整部材と環状深溝とに粘性オイルを塗布すると共に、前記盲孔内に一端を容器本体に、他端を蓋体の盲孔の底壁にそれぞれ止着するコイルスプリングを収め入れ、このコイルスプリングにより蓋体が開き方向、すなわち起立方向に常時回動、付勢される構成としてある。
【０００６】
従って、この「コンパクト容器」によれば、倒伏状態にある蓋体と容器本体とのロック状態を解くことにより、この蓋体を軸着部を中心に起立方向に向けて、ゆっくりかつスムースに開き出させることが可能とされる。
【０００７】
【発明が解決しようとする課題】
しかし前記実公平５−１６９６２に係る「コンパクト容器」では、同公報の第１図に特に示されるように、蓋体の回動中心をなす制動調整部材を嵌め込んだ該蓋体の環状深溝の側方にある盲孔内に、前記コイルスプリングを収める構成とされているため、蓋体と容器本体との軸着部に、このコイルスプリングの長さ寸法と前記環状深溝の溝寸法とを加えた寸法分の設置スペースを最小限必要とするものであった。
【０００８】
このため、コンパクトや印肉ケースなどの小型の収納体において前記従来の軸着部の構造を用いると、該収納体の全体に占める軸着部の設置スペースが比較的大きなものとなってしまい、収納体内の収納スペースが充分に確保し難くなる不都合があった。
【０００９】
また、例えば方形に構成されたコンパクトなどの収納体にあっては、コーナー部が幅狭とされる結果、前記「コンパクト容器」の軸着手段をもっては、このコーナー部をもって蓋体を軸着するようなデザインをなし難いなど、この軸着部の設置スペースが比較的大きくなる結果、収納体のデザインの自由度が制限されてしまう不都合があった。
【００１０】
とはいえ、前記コイルスプリングの長さ寸法、前記環状深溝の溝寸法は、所要の付勢力、所要の剛性などを確保する観点から、自ずと一定の寸法を必要とするものであるため、これらの寸法を減らして前記軸着部の設置スペースを減少させることにも限界がある。
【００１１】
そこでこの発明は、一方の部材に対して他方の部材を起立方向に回動、付勢させ、かつ、この回動をゆっくりかつスムースなものとさせる機能を備えた軸ユニットないし軸構造の、設置スペースを最小限のものとすることを主たる目的とする。
【００１２】
【課題を解決するための手段】
前記目的を達成するために、請求項１に係る発明では、第一の部材と第二の部材とを回動可能に連結する軸手段３０と、この第一の部材と第二の部材とを、互いに離れる向きに付勢する付勢手段とを備えた軸ユニットＸの軸手段３０を、第一の部材に固定され、かつ、第二の部材に回転又は回動可能に組み付けられる筒状軸具３１と、この筒状軸具３１内に挿し込まれると共に第二の部材に固定される桿状軸具３２と、この筒状軸具３１と桿状軸具３２との何れか一方又は双方の回転又は回動を抑制する抵抗付与手段とから構成すると共に、この軸ユニットＸの付勢手段が、前記筒状軸具３１を取り巻くように巻装されて第一の部材と第二の部材とを互いに引き離す向きに付勢する捩りコイルバネ３０’としてあり、かつ、前記筒状軸具３１が、この筒状軸具３１の長さ方向に亘る一側部に平坦面３１ｅを備えて構成した。
【００１３】
また、請求項２に係る発明では、軸構造Ｘ’を、請求項１記載の軸ユニットＸと、この軸ユニットＸを構成する筒状軸具３１に巻装された捩りコイルバネ３０’を間に置くように、該筒状軸具３１の両端側をそれぞれ挿通、固定する一対の取付穴１１、１１を備えた第一の部材の取付部１０と、この第一の部材の取付部１０の一方の前記取付穴１１より突き出される筒状軸具３１の端部を回転又は回動可能に嵌め込む軸受凹部２１と、該第一の部材の取付部１０の他方の前記取付穴１１より突き出される桿状軸具３２の端部の溝状止付部２２とを備える第二の部材の取付部２０とより構成すると共に、前記第一の部材の取付部１０に備えられた一対の取付穴１１、１１の穴壁の一部を、前記筒状軸具３１に備えられている平坦面３１ｅに接し合う平坦面１１ａとし、かつ前記第二の部材の取付部２０の前記軸受凹部２１の上端部に、該軸受凹部２１より幅狭とされる前記筒状軸具１１の端部の嵌め込み溝部２１ａを、該軸受凹部２１に連通するように設け構成した。
【００１４】
【作用】
請求項１に係る発明では、軸ユニットＸの軸手段３０が、第一の部材に固定され、かつ、第二の部材に回転又は回動可能に組み付けられる筒状軸具３１と、この筒状軸具３１内に差し込まれると共に第二の部材に固定される桿状軸具３２と、この筒状軸具３１と桿状軸具３２との何れか一方又は双方の回転又は回動を抑制する抵抗付与手段とを備えることから、第二の部材に固定される桿状軸具３２を回動中心として第一の部材を第二の部材に対して回動又は回転可能に軸着させることができ、また、この回動又は回転に抵抗を与えることができる。
【００１５】
また、軸ユニットＸの付勢手段が、前記筒状軸具３１を取り巻くように巻装されて第一の部材と第二の部材とを互いに引き離す向きに付勢する捩りコイルバネ３０’としてあることから、第二の部材に固定される桿状軸具３２を回動中心として第二の部材に対して回動又は回転可能に軸着される第一の部材は、第二の部材から引き離される向きに付勢力を受けた状態で、回動又は回転される。
【００１６】
【実施例】
以下、この発明に係る軸ユニットＸおよび、該軸ユニットＸを適用して構成される軸構造Ｘ’の典型的な実施例について、図１ないし図３３に基いて説明する。
【００１７】
なお、図１ないし図３は、実施例に係る軸ユニットＸおよび、該軸ユニットＸを適用して構成される軸構造Ｘ’を用いて構成される収納体Ｙをそれぞれ表わしており、図１は該収納体Ｙを上面より見て、図２は該収納体Ｙを縦断面の状態として、さらに、図３は、該収納体Ｙを構成する第一の部材としての蓋１、第二の部材としての本体２、軸構造Ｘ’を構成する軸手段３０および付勢手段としての捩りコイルバネ３０’、固定カバー４、操作カバー５、並びにトレイ６をそれぞれ分離した状態として、それぞれ示している。
【００１８】
また、図４および図５は、軸ユニットＸを適用して構成される軸構造Ｘ’を理解し易いように、該軸ユニットＸの挿通、固定された該軸構造Ｘ’を構成する蓋１の取付部１０と、該軸構造Ｘ’を構成する本体２の取付部２０とを分離した状態で（図４）、該軸構造Ｘ’を構成する軸ユニットＸ、取付部１０、２０の一部を破断して（図５）、それぞれ示している。
【００１９】
また、図６ないし、図１１は、前記収納体Ｙを構成する本体２の構成を理解し易いように、該本体２を上方から見て（図６）、また、側方から見て（図７）、また、縦断面の状態として（図８）、また、該本体２の取付部２０の溝状止付部２２が設けられている側の縦断面の状態として（図９）、また、該取付部２０の軸受凹部２１が設けられている側を縦断面の状態として（図１０）、さらに、前記収納体Ｙを構成する蓋１の係止部２３を縦断面の状態として（図１１）、それぞれ示している。
【００２０】
また、図１２ないし図１６は、前記収納体Ｙを構成する蓋１の構成を理解し易いように、該蓋１の表側から見て（図１２）、また、裏側から見て（図１３）、また、取付部１０が設けられている側から見て図１４）、また、側方から見て（図１５）、また、縦断面の状態として（図１６）、それぞれ示している。
【００２１】
また、図１７ないし図２３は、押し込み操作により前記本体２に対する前記蓋１の係止状態で解除させる前記収納体Ｙを構成する操作カバー５の構成を理解し易いように、該操作カバー５を表側から見て（図１７）、また、裏側から見て（図１８）、また、側方から見て（図１９、図２０、図２１）、また、縦断面の状態として（図２２）、さらに、要部を断面にして（図２３）、それぞれ示している。
【００２２】
また、図２４ないし図２７は、前記軸ユニットＸによる前記蓋１と本体２との枢支部分を蓋う前記収納体Ｙを構成する固定カバー４の構成を理解し易いように、該固定カバーを側方から見て（図２４、図２６）、また、裏側から見て（図２５）、さらに、縦断面の状態として図２７）、それぞれ示している。
【００２３】
また、図２８および図２９は、本体２内に収められるトレイを、上面から見て（図２８）、また、縦断面の状態として（図２９）、それぞれ示している。
【００２４】
また、図３０ないし図３２は、軸ユニットＸを構成する軸手段３０を、それぞれ側方から見て示している。
【００２５】
さらに、図３３は、操作カバー５の要部を理解し易いように、斜視の状態で示している。
【００２６】
以上の各図に示される軸ユニットＸおよび軸構造Ｘ’は、例えば前記収納体Ｙのように本体２とこの本体２の開口２ａを塞ぐ蓋１とを備える物品などにおいて、該本体２に対して該蓋１を、この蓋１の一方の側において、該軸ユニットＸおよび軸構造Ｘ’を構成する軸手段３０を回動中心として、該本体２に対して該蓋１を起伏可能で、かつ該軸手段３０に巻装された付勢手段としての捩りコイルバネ３０’の作用により、起立方向に向けて回動、付勢されるように組み付けるために用いられる。
【００２７】
ここで前記軸手段３０は、蓋１に固定され、かつ、本体２に回転又は回動可能に組み付けられる筒状軸具３１と、この筒状軸具３１内に挿し込まれると共に本体２に固定される桿状軸具３２とを備えると共に、この筒状軸具３１と桿状軸具３２との何れか一方又は双方の回転又は回動に抑制する抵抗付与手段を備えている。従って、前記本体２に対する前記蓋１の前記付勢による起立方向に向けた回動は、この付勢にかかわらず、ゆっくりとしたものとなる。
【００２８】
すなわち、この実施例に係る軸ユニットＸおよび軸構造Ｘ’によれば、前記本体２に対して前記蓋１を、前記軸ユニットＸによる前記軸着のみにより、該本体２に対して回動可能で、かつ、起立方向に向けて付勢されるように、しかも、この回動がゆっくりとしたものとなるように、組み付けることが可能とされる。
【００２９】
そこで、先ずこの実施例に係る軸ユニットＸについて説明する。
【００３０】
図２ないし図５に特に示されるように、この実施例に係る軸ユニットＸは、軸手段３０と付勢手段としての捩りコイルバネ３０’とから構成されている。
【００３１】
該軸手段３０は、前記本体２に対して前記蓋１を、回動可能で、かつ、少なくとも蓋１の開き出し方向に向けたこの回動をゆっくりとなさしめるように軸着しうる構成を備えたものであれば良い。この実施例では、この軸手段の一例として、本出願人が先に開示している特開平６−２５１１７６に示される「回動抵抗付与ダンパ」を利用している。
【００３２】
すなわち、軸手段３０は、図５に特に示されるように、有底筒状をなす筒状軸具３１と、この筒状軸具３１の開口３１ａより該筒状軸具３１内に回転可能に挿し込まれた桿状軸具３２と、この筒状軸具３１と桿状軸具３２との何れか一方又は双方の回転又は回動を抑制する抵抗付与手段３３により構成されている。
【００３３】
桿状軸具３２の前記筒状軸具３１内に挿し込まれている部分は中空部３２ａとされている。また、この中空部３２ａには、該中空部３２ａの内外を連通する複数の貫通孔３２ｂ、３２ｂ…が設けられている。
【００３４】
また、前記筒状軸具３１の開口３１ａには、Ｏリング３１ｂを介してキャップ３１ｃが嵌着されており、これにより該筒状軸具３１の該開口３１ａには水密に閉塞されている。
【００３５】
そして、この実施例では、水密に開口３１ａを閉塞された筒状軸具３１内に挿し入れられた前記桿状軸具３２の中空部３２ａ内に例えばシリコンオイルなどの粘性液体ｗを封入して、前記抵抗付与手段３３を構成している。
すなわち、前記桿状軸具３２の中空部３２ａには複数の前記貫通孔３２ｂ、３２ｂ…が設けてあることから、該桿状軸具３２又は前記筒状軸具３１が回動又は回転されると、前記粘性液体ｗの粘性抵抗が発生して、該桿状軸具３２又は筒状軸具３１の前記回動又は回転にこの抵抗が作用される構成とされている。
【００３６】
また、前記筒状軸具３１の前記桿状軸具３２の挿し込み側と反対の側には、該桿状軸具３２の軸中心線に沿って外方に突き出すように、円筒状の突出端部３１ｄが形成されている。
また、前記桿状軸具３２は、前記キャップ３１ｃを介して前記筒状軸具３１の外方に突き出す部分を断面略長方形状をなす、突出端部３２ｃとしている。
【００３７】
また、軸ユニットＸを構成する前記付勢手段は、捩りコイルバネ３０’とされており、この捩りコイルバネ３０’は、図５に特に示されるように、前記軸手段３０の筒状軸具３１を取り巻くように巻装可能、すなわち、該バネ３０’の巻回部３０’ａ中に該筒状軸具３１を挿し入れ可能とする構成とされている。
【００３８】
この捩りコイルバネ３０’は、該バネ３０’の巻回部３０’ａに加わる締め込み方向の荷重に抗して、緩み出し方向に弾発する構成としてある。
【００３９】
従って、以上のように構成される軸ユニットＸを構成する前記軸手段３０の筒状軸具３１を、蓋１に固定し、かつ、本体２に対して回転又は回動可能に組み付けると共に、前記桿状軸具３２を本体２に固定し、さらに、該本体２に対して蓋１を開き出し方向に付勢させるように、前記捩りコイルバネ３０’の一端部３０’ｂが蓋１に、また、他端部３０’ｃが本体２に、該蓋１の閉じ込み時にそれぞれ接するように、この軸ユニットＸをもって本体２に対して蓋１を軸着させることによって、蓋１を本体２に対して起伏可能かつ起立方向に付勢させるように組み付けることができると共に、この付勢による蓋１の起立方向に向けた回動を、前記抵抗付与手段３３の作用により、ゆっくりとしたものとすることができる。
【００４０】
すなわち、この実施例に係る軸ユニットＸは、前記本体２に対して蓋１を軸着させる軸としての機能と、該蓋１を起立方向に回動、付勢する機能と、該回動付勢に抵抗を与える機能とを併せて持っており、特に該蓋１を起立方向に回動、付勢する付勢手段を前記筒状軸具３１に取り巻くように巻装される捩りコイルバネ３０’とすることから、軸手段３０の長さ寸法分の取付スペースで、前記各機能をもたせた本体２の対する蓋１の軸着をなすことができる特徴を有する。
【００４１】
従って、図１ないし図３および図５に特に示されるように、略正方形状をなす上面開口２ａを備えた本体２のコーナー部Ｋのような幅狭の個所において、前記各機能をもたせた本体２に対する蓋１の軸着を支障なくなすことができる。
【００４２】
次いで、この実施例に係る軸構造Ｘ’について説明する。
【００４３】
図２ないし図５に特に示されるように、この実施例に係る軸構造Ｘ’は、前記軸ユニットＸと、この軸ユニットＸを構成する捩りコイルバネ３０’を間に置くように、前記筒状軸具３１の両端側をそれぞれ挿通、固定する一対の取付穴１１、１１を備えた第一の部材、この実施例では蓋１の設けられる取付部１０と、この蓋１の取付部１０の一方の取付穴１１より突き出される筒状軸具３１の突出端部３１ｄを回動可能に嵌め込む軸受凹部２１と、蓋１の取付部１０の他方の取付穴１１より突き出される桿状軸具３２の突出端部３２ｃの溝状止付部２２とを備えた第二の部材、この実施例では本体２に設けられる取付部２０とを主体に構成されている。
【００４４】
蓋１に設けられる取付部１０は、この実施例では、一対の板状腕部１２、１２の先端部に、前記筒状軸具３１を挿通、固定する前記取付穴１１をそれぞれ備えさせて構成されている。
【００４５】
この実施例では、特に、図２、図３、図１５及び図１６に示されるように、蓋１に設けられる取付部１０の取付穴１１の穴壁の一部を平坦面１１ａとすると共に、この平坦面１１ａ側に対向する穴壁側を湾曲面１１ｂとしている。
【００４６】
一方、この取付穴１１に両端側で挿通される前記軸手段３０の筒状軸具３１は、図２、図３および図３０ないし図３２に示されるように、長さ方向に亘る一側部に平坦面３１ｅを備えさせると共に、この平坦面３１ｅに対向する側を湾曲面３１ｆとしている。
【００４７】
従って、この実施例では、前記蓋１に設けられる取付部１０の取付穴１１に対して、前記筒状軸具３１の平坦面３１ｅと該取付穴１１の平坦面１１ａとが接し合うように、該筒状軸具３１を挿し入れることで、該取付穴１１に該筒状軸具３１をワンタッチで固定することができる。
【００４８】
また、前記取付部１０の一対の板状腕部１２、１２の先端部間の寸法は、軸手段３０を構成する捩りコイルバネ３０’の巻回部３０’ａの長さ寸法よりも大きく構成されており、捩りコイルバネ３０’はこの板状腕部１２、１２の先端部間に挟み込まれた状態で、該取付部１０に取り付けられた軸手段３０の筒状軸具３１に巻装される。
【００４９】
なお、取付部１０の一対の板状腕部１２、１２の一方には、この捩りコイルバネ３０’の一端部３０’ｂを挿通、固定する孔１２ａが設けてある。
【００５０】
一方、本体２に設けられる取付部２０は、この実施例では、この本体２の取付面に対して略直交する向きに設けられた一対の取付突部２０’、２０”の互いに向き合った面側であって、かつ、該取付突部２０’、２０”の先端側に、前記蓋１の取付部１０の一方の取付穴１１から突き出される筒状軸具３１の突出端部３１ｄを回動又は回転可能に嵌め込む軸受凹部２１を、また、前記取付部１０の他方の取付穴１１から突き出される桿状軸具３２の突出端部３２ｃの溝状止付部２２を、それぞれ備えさせて構成されている。
【００５１】
また、前記筒状軸具３１の突出端部３１ｄを桿め込む軸受凹部２１を備える取付突部２０’はまた、その先端部に、該軸受凹部２１よりも幅狭とされる前記筒状軸具３１の突出端部３１ｄの嵌め込み溝部２１ａを、該軸受凹部２１に連通するように備えている。
【００５２】
従って、この軸受凹部２１に対して、前記蓋１に取り付けた軸手段３０の筒状軸具３１の突出端部３１ｄを、前記嵌め込み溝部２１ａを介してワンタッチで回転又は回動可能に嵌め込むことができ、また、該嵌め込み溝部２１ａが前記のように幅狭とされることから、この嵌め込み状態を安定的に維持できる。
【００５３】
なお、この実施例では、前記取付突部２０’の前記軸受凹部２１が設けられている面側と反対側の面より、この軸受凹部２１に連通するように、該取付突部２０’の先端側から切り込み状にスリット２１ｂが設けてあり、このスリット２１ｂにより、前記嵌め込み溝部２１ａ内に前記筒状軸具３１の突出端部３１ｄを挿し入れた際に、この嵌め込み溝部２１ａが側方にやや弾性的に拡がり易くされており、この挿し入れをスムースに行える構成とされている。
【００５４】
また、前記桿状軸具３２の突出端部３２ｃの溝状止付部２２を備える取付突部２０”は、前記取付突部２０’と向き合う面側に、前記突出端部３２ｃが突き出されている側の前記筒状軸具３１の一端部を回動又は回転可能に収める軸受凹部２２ａを備えると共に、この軸受凹部２２ａが設けられている面側と反対側の面より、この軸受凹部２２ａに連通するように、該取付突部２０”の先端側が切り込み状に前記溝状止付部２２を備えている。
【００５５】
ここで、前記桿状軸具３２の突出端部３２ｃは、断面略長方形状をなすように構成されていることから、前記溝状止付部２２内の該突出端部３２ｃへの挿し込みにより、桿状軸具３２を本体２に対してワンタッチで固定することができる。
【００５６】
なお、前記溝状止付部２２の前記取付突部２０”の先端側に位置する開口部には、外広がり状の傾斜面２２ｂが設けてあり、該溝状止付部２２内に前記突出端部３２ｃを収め入れ易い構成としてある。
【００５７】
また、この取付突部２０”の先端側にはまた、前記軸受凹部２２ａよりも幅狭で、かつ、該軸受凹部２２ａに連通する嵌め込み溝部２２ｃが設けてあり、従って、この軸受凹部２２ａ内に収められた前記筒状軸具３１の一端部も、この軸受凹部２２ａに安定的に収められる。
【００５８】
また、この実施例では、前記本体２の両取付突部２０’、２０”の前記蓋１と向き合わない側の側面間に亘るように、該蓋１の側に向いた規制側板２４が設けてあり、この規制側板２４面に、前記蓋１の取付部１０に取り付けられた前記軸手段３０に巻装されている前記捩りコイルバネ３０’の該取付部１０に固定されていない他端部３０’ｃが接し、また、接し得る構成としてある。
【００５９】
従って、この実施例に係る軸構造Ｘ’によれば、該軸構造Ｘ’を構成する軸ユニットＸをワンタッチで蓋１および本体２に取り付けて、本体２に対して蓋１を起立方向に付勢させた状態で軸着させることができる。
【００６０】
このように構成される軸構造Ｘ’は、前記のように該軸構造Ｘ’を構成する軸手段３０の長さ寸法分のスペースをもって、本体２に対して蓋１を前記のように軸着可能としているので、図３に特に示されるように、略正方形状をなす上面開口２ａの箱状に構成された本体２の比較的幅狭とされるコーナー部Ｋにこの軸構造Ｘ’を支障なく設けて蓋１を軸着することができる。
【００６１】
従ってまた、本体２内の収納スペースを可及的に大きく採ることが可能となる。
【００６２】
次いで、この実施例では、特に図３および図３３に示されるように、前記本体２の対角線上に位置する一対のコーナー部Ｋ、Ｋの一方に前記軸構造Ｘ’を設けて蓋１を軸着して、該本体２の中央部に設けられる収納部２ｂを開閉自在に閉塞させると共に、この一対のコーナー部Ｋ、Ｋの他方に、蓋１を本体２に係止する係止手段を設けて、この閉塞状態を維持できる構成としてある。
【００６３】
すなわち、本体２の前記他方のコーナー部Ｋには、該本体２の底面２ｃと略直交する向きに、先端部に前記収納部２ｂと反対の側に先端を向けた係止爪２３ａを備えた係止突部２３が設けられていると共に、蓋１の前記取付部１０が設けられている側に対向する側縁部には、本体２の底面２ｃ側に向けて、該取付部１０側に先端を向けた係止爪１３ａを備えた係止突部１３が設けてあり、蓋１が本体２の収納部２ｂを塞いだ状態で、両係止突部爪２３、１３が係止される構成とされている。
【００６４】
この係止手段が設けられる他方のコーナー部Ｋには、図１７ないし図２３に示されるように、該コーナー部Ｋを覆う略三角形状をなす上面形状を備えた操作カバー５が装着される。
【００６５】
こうした操作カバー５の前記収納部２ｂ側に向けられた側縁略中央部には、前記蓋１の係止突部１３を入れ込む凹部５ａが設けてある。
【００６６】
また、この操作カバー５の下側縁には、下方に向けて本体２に対する複数の取付片５ｂ…５ｂが設けられている。この取付片５ｂ…５ｂにはそれぞれ、本体２の対応位置に設けられた係止爪２ｄ…２ｄが係止される係止窓穴５ｃが設けてある。図２に示されるように、この係止窓穴５ｃは本体２の係止爪２ｄの先端部を余裕をもって収め入れる大きさに形成されていることから、該係止窓穴５ｃと係止爪２ｄとの係止によって本体２に装着される操作カバー５は、上下方向に向けてこの余裕分、移動操作可能とされている。
【００６７】
また、この操作操作カバー５の前記凹部５ａの上部両側には、図２および図３３に特に示されるように、前記本体２の係止突部２３の先端部両側に上方から接するように形成された一対の傾斜面部５ｄ、５ｄが設けてある。
【００６８】
従って、この操作カバー５を押圧操作して下方にやや移動させることにより、この操作カバー５に設けられた前記傾斜面部５ｄを前記本体２の係止突部２３に接しさせて、この係止突部２３を前記収納部２ｂ側に撓み込ませることができ、これにより、この係止突部２３と蓋１の設けられた係止突部１３との係止を解くことができる。
【００６９】
そして、この係止状態の解除により、前記蓋１は、前記軸手段３０を構成する捩りコイルバネ３０’の付勢力より、該軸手段３０を構成すると共に、本体２に対して固定される桿状軸具３２を回動中心として、また、前記抵抗付与手段３３の作用により、起立方向にゆっくりと回動され、この結果本体２の前記収納部２ｂの閉塞状態が解除される。
【００７０】
なお、この実施例では、操作カバー５の下面に、該操作カバー５の前記凹部５ａが設けられている側の側縁に略平行をなすように、一対の弾性板片５ｅ、５ｅが相互に間隔を開けて設けてあり、一方、本体２の対応位置には、この一対の弾性板片５ｅ、５ｅ間  に差し入れられるガイド突部２ｅが突設されている。そして、このガイド突部２ｅの基部両側には、断面略三角形状をなす複数のリブ２ｅ’…２ｅ’が形成されており、操作カバー５の前記押圧操作時にこのリブ２ｅ’の斜辺縁が前記弾性板片５ｅの先端部に当接する構成としてある。従って、このリブ２ｅ’との当接により前記押圧時に前記一対の弾性板片５ｅ、５ｅは外側に撓められ、前記押圧に抗して操作カバー５を上方に押し上げる付勢力を蓄えることから、押圧操作がされない状態においては該操作カバー５は、図２に示されるように、前記傾斜面部５ｄをもって本体２の係止突部２３を収納部２ｂ側に押圧、撓み込ませることのない上方位置に維持される。
【００７１】
次いで、前記軸手段３０が設けられる本体２の一方のコーナー部Ｋには、図２４ないし図２７に示されるように、該コーナー部Ｋを覆う略三角形状をなす上面形状を備えた固定カバー４が装着される。
【００７２】
この固定カバー４の前記収納部２ｂ側に向けられた側縁略中央部には、前記蓋１の取付部１０の基部１０ａを収める凹部４ａが設けてある。
【００７３】
また、この固定カバー４の下側縁には、下方に向けて本体２に対する複数の取付片４ｂ…４ｂが設けられている。この取付片４ｂ…４ｂにはそれぞれ、本体２の対応位置に設けられた係止爪２ｆ…２ｆが係止される窓穴４ｃが設けてあり、この窓穴４ｃに係止爪２ｆを収め入れることにより、該固定カバー４は本体２の前記軸構造Ｘ’が設けられているコーナー部Ｋを覆うように組付けられる。
【００７４】
次いで、本体２の収納部２ｂは、この実施例では、図３に示されるように、前記軸構造Ｘ’が設けられるコーナー部Ｋとこの対角線上にあるコーナー部Ｋと別の対角線上にある一対のコーナー部Ｋ’、Ｋ’間に亘るように設けられており、従って、前記蓋１も該収納部２ｂを塞ぐ大きさを備えた略六角形状をなす板状に構成されている。
【００７５】
また、蓋１の前記取付部１０および係止突部１３が設けられている両側縁に挟まれた両側縁には、下方に向けた張り出し部１０ｂ、１０ｂが設けられており、本体２の開口２ａ閉塞時に、この張り出し部１０ｂ、１０ｂが都合良く、本体２の前記コーナー部Ｋ’、Ｋ’上縁部と蓋１との接し合う箇所を覆って、収納体Ｙの外観性を高める構成としてある。
【００７６】
なお、以上に説明した実施例では、本体２の各係止爪２ｄ…２ｄ、２ｆ…２ｆ、係止突部２３、取付突部２０’、２０”の下方に窓穴２ｇ…２ｇがそれぞれ開設されており、該本体２をプラスチック材料を用いて上下二つの型により一体に成形することを可能とする工夫がなされている。
【００７７】
また、この実施例では前記本体１の収納部２ｂ内に、図２８および図２９に示される該収納部２ｂに収まる大きさ、形状を備えたトレイ６を取外し可能に収め入れ、用いる構成としてある。
【００７８】
すなわち、この実施例によれば、この実施例に係る収納体Ｙを、例えば印肉ケースとして用いる場合には、このトレイ６の収納凹部６ａ内に例えば、朱を染み込ませたパッドなどを収め、また、例えば、化粧用のコンパクトとして用いる場合には、前記収納凹部６ａ内にパウダーやほお紅などを収め入れることにより、略同一構成の収納体Ｙを用いて様々な物品の収納容器を構成することができる。
【００７９】
【発明の効果】
この発明に係る軸ユニットＸでは、軸ユニットＸの付勢手段が、前記筒状軸具３１に取り巻くように巻装されて第一の部材と第二の部材とを互いに引き離す向きに付勢する捩りコイルバネ３０’としてあり、このように巻装される捩りコイルバネ３０’により、第二の部材に固定される桿状軸具３２を回動又は回転中心として第一の部材を、第二の部材から引き離される向きに付勢力を受けさせた状態で、回動又は回転可能に第二の部材に軸着させることから、第二の部材に対して第一の部材を起立方向に回動又は回転、付勢させ、かつ、前記抵抗付与手段により、この回動又は回転をゆっくりかつスムースなものとさせる機能を備えた軸ユニットＸの設置スペースを必要最小限のものとすることができる。
【００８０】
この結果、この軸ユニットＸにより軸着される第一の部材及び第二の部材の大きさ、形状などに影響されることなく、所望の位置に軸ユニットＸを設けて前記軸着をなすことができる特長を有する。
【００８１】
特に、化粧コンパクト、印肉ケースなどの比較的小型の収納体において、本体に対して蓋を軸着するにあたり、該収納体の収納スペースを無用に減少させることのない特長を有している。
【００８２】
また、この種の収納体を方形状の収納空間を備えるように構成した場合の該収納体のコーナー部や、円形状の収納空間を備えるように構成した場合の外周縁部のように、軸着スペースを大きく設定できない箇所においても無理なく蓋を本体に対して軸着できる特長を有している。
【００８３】
また、殊に、方形状の収納空間を有する収納体におけるコーナー部は、収納物の収納に寄与し難い部分であることが多いことから、この収納に寄与し難い、コーナー部を有効に利用して前記軸着をなしうるメリットを有している。
【００８４】
また、軸ユニットＸであることよりして、様々な物品に対して汎用可能であり、また、破損などが生じた場合の取替などが容易となる特長を有している。
【００８５】
また、特に請求項２記載の軸構造Ｘ’では、この軸構造Ｘ’が、前記軸ユニットＸとこの軸ユニットＸを構成する筒状軸具３１に巻装された捩りコイルバネ３０’を間に置くように、該筒状軸具３１の両端側をそれぞれ挿通、固定する一対の取付穴１１、１１を備えた第一の部材の取付部と、この第一の部材の取付部１０の一方の前記取付穴１１より突き出される筒状軸具３１の端部を回転又は回動可能に嵌め込む軸受凹部２１と、該第一の部材の取付部１０の他方の前記取付穴１１より突き出される桿状軸具３２の端部の溝状止付部２２とを備える第二の部材の取付部２０とより構成されると共に、さらに、該第二の部材の取付部２０の前記軸受凹部２１の上端部に、該軸受凹部２１より幅狭とされる前記筒状軸具３１の端部の嵌め込み溝部２１ａが、該軸受凹部２１に連通するように備えていることから、第一の部材の取付部１０の取付穴１１に対して筒状軸具３１を差し込むだけで該第一の部材に対して軸ユニットＸを取り付けることができるばかりか、第二の部材の取付部２０に対して前記軸受凹部２１に筒状軸具３１の端部を、溝状止付部２２に桿状軸具３２の端部をそれぞれ嵌め込むだけで、前記軸受凹部２１より幅狭とされる嵌め込み溝部２１ａにより、この嵌め込み状態を安定的に維持した状態で、軸ユニットＸによる第一の部材と第二の部材の前記軸着を容易かつ確実になしうる特長を有している。
【図面の簡単な説明】
【図１】収納体Ｙの平面図
【図２】収納体Ｙの縦断面図
【図３】収納体Ｙの分離斜視図
【図４】軸構造Ｘ’を示す分離斜視図
【図５】図２におけるＡ−Ａ線断面図
【図６】本体２の平面図
【図７】本体２の側面図
【図８】図６におけるＢ−Ｂ線断面図
【図９】図６におけるＣ−Ｃ線断面図
【図１０】図６におけるＤ−Ｄ線断面図
【図１１】図６におけるＥ−Ｅ線断面図
【図１２】蓋１の平面図
【図１３】蓋１の底面図
【図１４】蓋１の側面図
【図１５】蓋１の側面図
【図１６】図１３におけるＦ−Ｆ線断面図
【図１７】操作カバー５の平面図
【図１８】操作カバー５の底面図
【図１９】操作カバー５の側面図
【図２０】操作カバー５の側面図
【図２１】操作カバー５の側面図
【図２２】図１８のＧ−Ｇ線断面図
【図２３】図１８のＨ−Ｈ線断面図
【図２４】固定カバー４の側面図
【図２５】固定カバー４の底面図
【図２６】固定カバー４の側面図
【図２７】図２５のＩ−Ｉ線断面図
【図２８】トレイ６の平面図
【図２９】図２８のＪ−Ｊ線断面図
【図３０】軸手段３０の側面図
【図３１】軸手段３０の側面図
【図３２】軸手段３０の側面図
【図３３】操作カバー５の要部斜視図
【符号の説明】
Ｘ  軸ユニット
３０  軸手段
３１  筒状軸具
３２  桿状軸部
３０  捩りコイルバネ３０’
Ｘ’  軸構造
１０  取付部
１１  取付穴
２０  取付部
２１  軸受凹部
２２  溝状止付部
２１ａ  嵌め込み溝部
【図１】
0003615829.tif 000002
【図２】
0003615829.tif 000003
【図３】
0003615829.tif 000004
【図４】
0003615829.tif 000005
【図５】
0003615829.tif 000006
【図６】
0003615829.tif 000007
【図７】
0003615829.tif 000008
【図８】
0003615829.tif 000009
【図９】
0003615829.tif 000010
【図１０】
0003615829.tif 000011
【図１１】
0003615829.tif 000012
【図１２】
0003615829.tif 000013
【図１３】
0003615829.tif 000014
【図１４】
0003615829.tif 000015
【図１５】
0003615829.tif 000016
【図１６】
0003615829.tif 000017
【図１７】
0003615829.tif 000018
【図１８】
0003615829.tif 000019
【図１９】
0003615829.tif 000020
【図２０】
0003615829.tif 000021
【図２１】
0003615829.tif 000022
【図２２】
0003615829.tif 000023
【図２３】
0003615829.tif 000024
【図２４】
0003615829.tif 000025
【図２５】
0003615829.tif 000026
【図２６】
0003615829.tif 000027
【図２７】
0003615829.tif 000028
【図２８】
0003615829.tif 000029
【図２９】
0003615829.tif 000030
【図３０】
0003615829.tif 000031
【図３１】
0003615829.tif 000032
【図３２】
0003615829.tif 000033
【図３３】
0003615829.tif 000034